(57)【要約】【課題】  遊技盤と本体基部との違法な組み合わせを防止する。【解決手段】  本体基部６の開口６ａに形成されている支持枠２１に第１〜３ソレノイド２２〜２４を設ける。第１遊技盤１０に、本体基部６の第１〜３ソレノイド２２〜２４と対応するように貫通孔２６〜２８を形成する。第１遊技盤ユニット４を本体基部６に取り付ける場合、第１遊技盤１０の貫通孔２６〜２８のそれぞれに第１〜３ソレノイド２２〜２４の駆動鉄芯２２ｂ〜２４ｂを挿通させながら、第１遊技盤ユニット４を本体基部６に取り付ける。【選択図】        図２
2005245593.tif 000002
【特許請求の範囲】
【請求項１】
遊技媒体が流下する遊技領域が形成された複数種類の遊技盤と、これら複数種類の遊技盤が順次に取り替えられて着脱自在に取り付けられる本体基部とを備えた遊技機において、
前記複数種類の遊技盤のそれぞれに異なった数で穴部を形成するとともに、前記遊技盤の前記本体基部への取り付けを可能にするための識別情報が記憶された識別情報記憶手段を有する無線タグを設け、
前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、
前記本体基部に、前記複数種類の遊技盤のうち、最も多い前記穴部の数を有する遊技盤の前記穴部の位置に対応するように前記穴部に挿入される挿入部材と、
前記挿入部材を、前記穴部に挿入可能となる第１位置と、前記穴部に挿入不能となる第２位置との間で移動させる駆動手段と、
前記識別情報記憶手段に記憶された前記識別情報を読み取る通信手段と、
前記通信手段が読み取った前記識別情報に対応する登録情報を予め記憶した登録情報記憶手段と、
前記通信手段が読み取った前記識別情報が、前記登録情報記憶手段に記憶されている登録情報と一致するか否かを判定する判定手段と、
前記判定手段の判定結果に基づいて、前記穴部の位置及び数に対応するように、前記挿入部材を選択的に前記穴部に挿入させるように前記駆動装置を制御する制御手段とを設けたことを特徴とする遊技機。
【請求項２】
前記登録情報記憶手段には、全種類の前記遊技盤の前記識別情報に対応する登録情報が予め記憶されており、前記複数種類の遊技盤のうち、ある前記遊技盤を前記本体基部に取り付けた際に、当該遊技盤の前記識別情報に対応する前記登録情報が前記登録情報記憶手段から消去されることを特徴とする請求項１記載の遊技機。
【請求項３】
前記穴部は、前記挿入部材が貫通される貫通孔であり、前記遊技領域内に形成されていることを特徴とする請求項１または２記載の遊技機。
【請求項４】
遊技媒体が流下する遊技領域が形成された複数種類の遊技盤と、これら複数種類の遊技盤が順次に取り替えられて着脱自在に取り付けられる本体基部とを備えた遊技機が複数並設されて構成され、
前記複数種類の遊技盤のそれぞれに異なった数で穴部が形成されるとともに、前記遊技盤の前記本体基部への取り付けを可能にするための識別情報が記憶された識別情報記憶手段を有する無線タグが設けられ、
前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、
前記本体基部に、前記複数種類の遊技盤のうち、最も多い前記穴部の数を有する遊技盤の前記穴部の位置に対応するように前記穴部に挿入される挿入部材と、
前記挿入部材を、前記穴部に挿入可能となる第１位置と、前記穴部に挿入不能となる第２位置との間で移動させる駆動手段と、
前記識別情報記憶手段に記憶された前記識別情報を読み取る通信手段と、
前記通信手段が読み取った前記識別情報に対応する登録情報を予め記憶した登録情報記憶手段と、
前記通信手段が読み取った前記識別情報が、前記登録情報記憶手段に記憶されている登録情報と一致するか否かを判定する判定手段と、
前記判定手段の判定結果に基づいて、前記穴部の位置及び数に対応するように、前記挿入部材を選択的に前記穴部に挿入させるように前記駆動装置を制御する制御手段とが設けられている遊技機ユニットであって、
前記本体基部に取り付けられる前記遊技盤の前記穴部の位置又は数は、前記遊技機毎に異なるように配置されていることを特徴とする遊技機ユニット。
【請求項５】
前記登録情報記憶手段には、全種類の前記遊技盤の前記識別情報に対応する登録情報が予め記憶されており、ある前記遊技盤を前記本体基部に取り付けた際に、当該遊技盤の前記識別情報に対応する前記登録情報が前記登録情報記憶手段から消去されることを特徴とする請求項４記載の遊技機ユニット。
【請求項６】
前記穴部は、前記突起が貫通される貫通孔であり、前記遊技領域内に形成されていることを特徴とする請求項４または５記載の遊技機ユニット。
【請求項７】
遊技媒体が流下する遊技領域が形成された複数種類の遊技盤と、これら複数種類の遊技盤が順次に取り替えられて着脱自在に取り付けられる本体基部とを備え、
前記複数種類の遊技盤のそれぞれに異なった数で穴部が形成されるとともに、前記遊技盤の前記本体基部への取り付けを可能にするための識別情報が記憶された識別情報記憶手段を有する無線タグが設けられ、
前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、
前記本体基部に、前記複数種類の遊技盤のうち、最も多い前記穴部の数を有する遊技盤の前記穴部の位置に対応するように前記穴部に挿入される挿入部材と、
前記挿入部材を、前記穴部に挿入可能となる第１位置と、前記穴部に挿入不能となる第２位置との間で移動させる駆動手段と、
前記識別情報記憶手段に記憶された前記識別情報を読み取る通信手段と、
前記通信手段が読み取った前記識別情報に対応する登録情報を予め記憶した登録情報記憶手段と、
前記通信手段が読み取った前記識別情報が、前記登録情報記憶手段に記憶されている登録情報と一致するか否かを判定する判定手段と、
前記判定手段の判定結果に基づいて、前記穴部の位置及び数に対応するように、前記挿入部材を選択的に前記穴部に挿入させるように前記駆動装置を制御する制御手段とが設けられている遊技機における遊技盤の本体基部への取り付け方法であって、
前記遊技盤を前記本体基部に取り付ける際、前記穴部の位置及び数に対応する前記挿入部材を前記第１位置にしてから前記遊技盤を前記本体基部に取り付けることを特徴とする遊技機における遊技盤の本体基部への取り付け方法。
【発明の詳細な説明】
【技術分野】
【０００１】
本発明は、パチンコ店等の遊技場に設置して使用されるパチンコ機等の遊技機、遊技機ユニット及び遊技機における遊技盤の本体基部への取り付け方法に関するものである。
【背景技術】
【０００２】
遊技場に設置される遊技機としてパチンコ機が挙げられる。パチンコ機を構成する基体となる本体基部には、パチンコ球（遊技媒体）が打ち出される遊技領域が形成された遊技盤が取り付けられている。さらに、遊技領域を視認させる窓部を備えた前面扉が本体基部に軸支されて、遊技盤の前方において開閉自在に設けられている。設置されているパチンコ機のデザインを一新したり、あるいは遊技性の異なるパチンコ機へ交換する場合には、本体基部が交換されるか、または、本体基部を据え置きとして遊技盤のみが交換される。
【０００３】
ところで、遊技盤と、この遊技盤が取り付けられる本体基部とは、検定を受けた正しい組み合わせになっていなければならず、本体基部１台につき遊技盤１台の組み合わせで登録されている。遊技盤の交換が行われる場合には、新たに本体基部に取り付けられる新遊技盤と、この新遊技盤が取り付けられる本体基部とが上記検定に従った正しい組み合わせになっていなければならず、本体基部から一度取り外された旧遊技盤を許可なく再び同じ本体基部に取り付けて使用することは禁止されている。また、ある本体基部に取り付けられている遊技盤を他の本体基部に付け替えるようなことも禁止されている。
【発明の開示】
【発明が解決しようとする課題】
【０００４】
しかしながら、従来のパチンコ機では、遊技盤と本体基部とが正しい組み合わせでなくても、遊技盤を本体基部に取り付けることが可能であった。そのため、遊技盤と本体基部とが違法な組み合わせのパチンコ機が存在してしまうといった問題があった。
【０００５】
また、遊技盤を新しいものに交換する場合、新しい遊技盤と本体基部とが正しい組み合わせとなるように、遊技盤と本体基部とのそれぞれに記されている番号を照合しながら遊技盤を本体基部に取り付けていたため、遊技盤の本体基部への取り付け作業が非常に面倒であった。しかも、その作業を、遊技場に設置されている複数のパチンコ機に対して行う場合には多大な時間を費やさなければならなかった。
【０００６】
本発明は上記事情を考慮してなされたもので、遊技盤と本体基部との違法な組み合わせを防止することができる遊技機、遊技機ユニット及び遊技機における遊技盤の本体基部への取り付け方法を提供することを目的とする。また、遊技盤を本体基部に正しい組み合わせで容易に取り付けることができる遊技機、遊技機ユニット及び遊技機における遊技盤の本体基部への取り付け方法を提供することも本発明の別の目的である。
【課題を解決するための手段】
【０００７】
上記目的を達成するために、本発明の遊技機は、遊技媒体が流下する遊技領域が形成された複数種類の遊技盤と、これら複数種類の遊技盤が順次に取り替えられて着脱自在に取り付けられる本体基部とを備えたものであり、前記複数種類の遊技盤のそれぞれに異なった数で穴部を形成するとともに、前記遊技盤の前記本体基部への取り付けを可能にするための識別情報が記憶された識別情報記憶手段を有する無線タグを設け、前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、前記本体基部に、前記複数種類の遊技盤のうち、最も多い前記穴部の数を有する遊技盤の前記穴部の位置に対応するように前記穴部に挿入される挿入部材と、前記挿入部材を、前記穴部に挿入可能となる第１位置と、前記穴部に挿入不能となる第２位置との間で移動させる駆動手段と、前記識別情報記憶手段に記憶された前記識別情報を読み取る通信手段と、前記通信手段が読み取った前記識別情報に対応する登録情報を予め記憶した登録情報記憶手段と、前記通信手段が読み取った前記識別情報が、前記登録情報記憶手段に記憶されている登録情報と一致するか否かを判定する判定手段と、前記判定手段の判定結果に基づいて、前記穴部の位置及び数に対応するように、前記挿入部材を選択的に前記穴部に挿入させるように前記駆動装置を制御する制御手段とを設けたことを特徴とする。
【０００８】
また、前記登録情報記憶手段には、全種類の前記遊技盤の前記識別情報に対応する登録情報が予め記憶されており、前記複数種類の遊技盤のうち、ある前記遊技盤を前記本体基部に取り付けた際に、当該遊技盤の前記識別情報に対応する前記登録情報が前記登録情報記憶手段から消去されることが好ましい。
【０００９】
また、前記穴部は、前記挿入部材が貫通される貫通孔であり、前記遊技領域内に形成されていることが好ましい。
【００１０】
本発明の遊技機ユニットは、遊技媒体が流下する遊技領域が形成された複数種類の遊技盤と、これら複数種類の遊技盤が順次に取り替えられて着脱自在に取り付けられる本体基部とを備えた遊技機が複数並設されて構成され、前記複数種類の遊技盤のそれぞれに異なった数で穴部が形成されるとともに、前記遊技盤の前記本体基部への取り付けを可能にするための識別情報が記憶された識別情報記憶手段を有する無線タグが設けられ、前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、前記本体基部に、前記複数種類の遊技盤のうち、最も多い前記穴部の数を有する遊技盤の前記穴部の位置に対応するように前記穴部に挿入される挿入部材と、前記挿入部材を、前記穴部に挿入可能となる第１位置と、前記穴部に挿入不能となる第２位置との間で移動させる駆動手段と、前記識別情報記憶手段に記憶された前記識別情報を読み取る通信手段と、前記通信手段が読み取った前記識別情報に対応する登録情報を予め記憶した登録情報記憶手段と、前記通信手段が読み取った前記識別情報が、前記登録情報記憶手段に記憶されている登録情報と一致するか否かを判定する判定手段と、前記判定手段の判定結果に基づいて、前記穴部の位置及び数に対応するように、前記挿入部材を選択的に前記穴部に挿入させるように前記駆動装置を制御する制御手段とが設けられているものであって、前記本体基部に取り付けられる前記遊技盤の前記穴部の位置又は数は、前記遊技機毎に異なるように配置されていることを特徴とする。
【００１１】
また、前記登録情報記憶手段には、全種類の前記遊技盤の前記識別情報に対応する登録情報が予め記憶されており、ある前記遊技盤を前記本体基部に取り付けた際に、当該遊技盤の前記識別情報に対応する前記登録情報が前記登録情報記憶手段から消去されることが好ましい。
【００１２】
また、前記穴部は、前記突起が貫通される貫通孔であり、前記遊技領域内に形成されていることが好ましい。
【００１３】
本発明の遊技機における遊技盤の本体基部への取り付け方法は、遊技媒体が流下する遊技領域が形成された複数種類の遊技盤と、これら複数種類の遊技盤が順次に取り替えられて着脱自在に取り付けられる本体基部とを備え、前記複数種類の遊技盤のそれぞれに異なった数で穴部が形成されるとともに、前記遊技盤の前記本体基部への取り付けを可能にするための識別情報が記憶された識別情報記憶手段を有する無線タグが設けられ、前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、前記本体基部に、前記複数種類の遊技盤のうち、最も多い前記穴部の数を有する遊技盤の前記穴部の位置に対応するように前記穴部に挿入される挿入部材と、前記挿入部材を、前記穴部に挿入可能となる第１位置と、前記穴部に挿入不能となる第２位置との間で移動させる駆動手段と、前記識別情報記憶手段に記憶された前記識別情報を読み取る通信手段と、前記通信手段が読み取った前記識別情報に対応する登録情報を予め記憶した登録情報記憶手段と、前記通信手段が読み取った前記識別情報が、前記登録情報記憶手段に記憶されている登録情報と一致するか否かを判定する判定手段と、前記判定手段の判定結果に基づいて、前記穴部の位置及び数に対応するように、前記挿入部材を選択的に前記穴部に挿入させるように前記駆動装置を制御する制御手段とが設けられている遊技機における遊技盤の本体基部への取り付け方法であって、前記遊技盤を前記本体基部に取り付ける際、前記穴部の位置及び数に対応する前記挿入部材を前記第１位置にしてから前記遊技盤を前記本体基部に取り付けることを特徴とする。
【発明の効果】
【００１４】
本発明の遊技機、遊技機ユニット及び遊技機における遊技盤の本体基部への取り付け方法によれば、前記複数種類の遊技盤のそれぞれに異なった数で穴部を形成するとともに、前記遊技盤の前記本体基部への取り付けを可能にするための識別情報が記憶された識別情報記憶手段を有する無線タグを設け、前記複数種類の遊技盤のうち、最も多い前記穴部の数を有する遊技盤以外の遊技盤の前記穴部の位置及び数は、最も多い前記穴部の数を有する遊技盤の前記穴部のうちのいずれかを除去することによって決定され、前記本体基部に、前記複数種類の遊技盤のうち、最も多い前記穴部の数を有する遊技盤の前記穴部の位置に対応するように前記穴部に挿入される挿入部材と、前記挿入部材を、前記穴部に挿入可能となる第１位置と、前記穴部に挿入不能となる第２位置との間で移動させる駆動手段と、前記識別情報記憶手段に記憶された前記識別情報を読み取る通信手段と、前記通信手段が読み取った前記識別情報に対応する登録情報を予め記憶した登録情報記憶手段と、前記通信手段が読み取った前記識別情報が、前記登録情報記憶手段に記憶されている登録情報と一致するか否かを判定する判定手段と、前記判定手段の判定結果に基づいて、前記穴部の位置及び数に対応するように、前記挿入部材を選択的に前記穴部に挿入させるように前記駆動装置を制御する制御手段とを設け、遊技盤を本体基部に取り付ける際、電子認証を行い、無線タグに記憶されている識別番号が正規のものであるか否かを判定し、その識別番号が正規のものであると判定された場合に、穴部の位置に対応する挿入部材を第１位置にして、遊技盤を本体基部に取り付けるようにしたので、遊技盤と本体基部との違法な組み合わせによる組み付けを防止することができる。例えば、本体基部の挿入部材と対応するように穴部が形成されていない遊技盤は本体基部に取り付けようとしても本体基部の挿入部材が邪魔になって取り付けることができなかったり、あるいは遊技盤に形成されている全ての穴部に挿入部材が挿入されなかったりするため、遊技盤と本体基部の組み合わせが間違っていることを容易に視認することができる。また、仮に、穴部が形成されていない遊技盤に本体基部の挿入部材と対応するように穴部を不正に形成しようとしても、その作業には手間がかかるため、許可を得ていない遊技盤を本体基部に取り付けるといった不正行為を抑止することができる。
【００１５】
また、遊技機が複数並設されて構成された遊技機ユニットにおいて、複数の遊技機のそれぞれの本体基部に取り付けられる遊技盤の穴部の位置又は数を、前記遊技機毎に異なるように配置したことにより、複数の遊技機のそれぞれに対して遊技盤を本体基部に取り付ける作業を行う際、遊技盤と本体基部とのそれぞれに記されている検定番号を照合しなくても、遊技盤に形成されている穴部の位置と、本体基部に設けられている挿入部材の位置とが一致しているか否かを確認するだけで遊技盤と本体基部とが正しい組み合わせであるか否かを容易に判別することができるので、遊技盤の本体基部への取り付け作業の効率化を図ることが可能となる。また、本来取り付けられるべき本体基部以外の本体基部に遊技盤を誤って取り付けるということを防止することができる。さらに、遊技盤と本体基部とが正しい組み合わせで組み付けられている遊技機の遊技盤を取り外して、別の本体基部に取り付けようとしても、穴部の数や位置が合わないため、不正な取り付けを防止することができる。
【００１６】
また、前記登録情報記憶手段には、全種類の前記遊技盤の前記識別情報に対応する登録情報が予め記憶されており、ある前記遊技盤を前記本体基部に取り付けた際に、当該遊技盤の前記識別情報に対応する前記登録情報が前記登録情報記憶手段から消去されるので、一度使用された遊技盤を再び使用しようとしても、その遊技盤に取り付けられている無線タグに格納されている識別情報は二度と認証されないので、遊技盤の交換が１回以上行われている場合には、それ以前に使用されていた遊技盤を再使用するといった違法な取り付け行為を防止することができる。
【００１７】
また、遊技盤に形成される穴部を貫通孔として遊技領域内に形成したので、穴部を貫通する挿入部材を障害釘などと同様の遊技盤面上の障害物として用いることができる。また、穴部を貫通する突起を風車などの構造物を取り付けるための取り付け軸として用いることもできる。
【発明を実施するための最良の形態】
【００１８】
図１及び図２に示すように、本発明の遊技機であるパチンコ機２は、本体ユニット３、第１遊技盤ユニット４、前面扉５から構成されている。本体ユニット３は、新しい機種への切り替えの際に、遊技場等の配設場所に据え置かれるユニットである。本体ユニット３は、パチンコ機２の基体となる本体基部６と、この本体基部６を遊技場の配設場所に保持する固定枠７とを有しており、本体基部６は固定枠７の前面に取り付けられている。本体基部６には、操作ハンドルＨ、払い出し口８、球受皿９の他に、特に図示しないが、パチンコ球発射装置、賞球払い出し装置、電源回路などの遊技状態に応じて作動される装置が設けられている。
【００１９】
パチンコ機２において、第１遊技盤ユニット４は、新しい機種への切り替えの際に交換される部位であり、後述する第２遊技盤ユニット３０、第３遊技盤ユニット３５の順に交換されてゆく。第１遊技盤ユニット４は第１遊技盤１０と制御回路装置１１とから構成されている。第１遊技盤１０の前面側の遊技領域１０ａには、図柄表示装置１２、始動口１３、通常入賞口１４、通過入賞口１５、アタッカ１６などの所定入賞口及びアウト口１７が設けられ、背面側には、遊技状態に応じて各種装置を作動制御する制御回路装置１１が設けられている。図示は省略してあるが、第１遊技盤１０の遊技領域１０ａには複数の障害釘や風車などが適宜箇所に設けられている。
【００２０】
制御回路装置１１は、機種に応じたゲームを実行処理させるメイン制御基盤（不図示）や図柄表示装置１２の表示制御、ランプＲの点灯制御、スピーカーＳから出力される音声制御などを行うサブ制御基盤（不図示）などから構成されている。
【００２１】
前面扉５は、ヒンジ１８を介して本体基部６に開閉自在に且つ着脱自在に取り付けられている。前面扉５には可視部であるガラス１９が交換可能に取り付けられている。ガラス１９は、ヒンジ２０を介して開口５ａに対して回動自在となるように取り付けられている。前面扉５には、ガラス１９の他、ランプＲやスピーカーＳなどが取り付けられている。
【００２２】
なお、前面扉５が閉じているロック状態であるときには、遊技者や遊技場の作業者は、前面扉５のガラス１９を通して第１遊技盤１０の遊技領域１０ａを流下していく遊技媒体であるパチンコ球を見ることはできるが、第１遊技盤１０にはもちろんのこと本体基部６の内部にも触れることができないようになっている。
【００２３】
操作ハンドルＨを操作すると、パチンコ球がパチンコ球発射装置によって一個ずつ第１第１遊技盤１０の遊技領域１０ａに打ち出され、始動口１３、通常入賞口１４、通過入賞口１５、アウト口１７のいずれかに入る。始動口１３にパチンコ球が入ったときには図柄表示装置１２が作動され、表示されている図柄の可変表示が所定時間行われて当たり判定や演出処理が行われる。そして、図柄の可変表示が停止されたときに入賞有効位置上に所定の停止図柄の組み合わせが得られると当たりとなり、遊技上の利益を獲得するうえで遊技者にとって通常よりも有利となる遊技状態へと所定期間移行される。
【００２４】
当たりが得られるときに生じる有利な遊技状態となると、例えば開閉可能な扉部材を備えたアタッカ１６を１回につき所定時間又はパチンコ球が所定個数入賞するまで閉口状態から開口状態にし、これが所定回数繰り返される。始動口１３、通常入賞口１４又はアタッカ１６にパチンコ球が入賞すると所定個数の景品球となる賞球払い出しが行われる。始動口１３、通常入賞口１４又はアタッカ１６にパチンコ球が入賞しなかった場合は、未入賞のパチンコ球としてアウト口１７に入ってハズレ球として回収される。前記景品球は、入賞された入賞口の種類に応じた個数のパチンコ球が払い出し口８から球受皿９に払い出される。
【００２５】
図２に示すように、本体基部６には、第１遊技盤ユニット４が嵌め込まれる略矩形状の開口６ａが形成されている。この開口６ａには、開口６ａに嵌め込まれる第１遊技盤ユニット４を後方から支持し、第１遊技盤ユニット４の後方への脱落を防止する支持枠２１が形成されている。支持枠２１の上部中央には、駆動手段である第１〜３ソレノイド２２、２３、２４が並設されている。第１ソレノイド２２は、ボビン２２ａと駆動鉄芯２２ｂとから、第２ソレノイド２３はボビン２３ａと駆動鉄芯２３ｂとから、第３ソレノイド２４はボビン２４ａと駆動鉄芯２４ｂとから構成されている。
【００２６】
以下、第１〜３ソレノイド２２〜２４は同様の構成をしているため、第１ソレノイド２２を例に挙げて説明し、第２、３ソレノイド２３、２４についての説明は省略する。第１ソレノイド２２は通電が行われると、ボビン２２ａに巻かれたコイル（図示せず）によって磁界が発生し、駆動鉄２２ｂをボビン２２ａの内部に引き込む。そして、第１ソレノイド２２への通電が停止すると、図示しないバネの復帰力により、ボビン２２ａに引き込まれた駆動鉄芯２２ｂがボビン２２ａの内部から引き出される。駆動鉄心２２ｂは、駆動鉄芯２２ｂのボビン２２ａから引き出された部位が、第１遊技盤１０の厚みよりもやや長くなるように形成されている。
【００２７】
駆動鉄芯２２ｂは、第１ソレノイド２２への通電が停止されると、ボビン２２ａから駆動鉄芯２２ｂが突出し、このとき駆動鉄芯２２ｂは、後述する第１〜３遊技盤１０、３１、３６の貫通孔２６、３３、３８に挿入可能となる。また、第１ソレノイド２２へ通電が行われると、突出していた駆動鉄芯２２ｂはボビン２２ａに埋没し、このとき駆動鉄芯２２ｂは第１〜３遊技盤１０、３１、３６の貫通孔２６、３３、３８に挿入されない。このように、駆動鉄芯２２ｂは、第１〜３遊技盤１０、３１、３６の貫通孔２６、３３、３８への挿入を可能にする第１位置と、第１〜３遊技盤１０、３１、３６の貫通孔２６、３３、３８への挿入を不能にする第２位置との間で移動する。なお、本実施形態では、第１遊技盤１０が本体基部６に取り付けられる前の駆動鉄芯２２ｂ〜２４ｂは、ボビン２２ａ〜２４ａに埋没した状態、すなわち第２位置にあるものとする。
【００２８】
第１遊技盤ユニット４の第１遊技盤１０には、本体基部６の第１〜３ソレノイド２２〜２４の駆動鉄芯２２ｂ〜２４ｂと対応した位置に、３つの貫通孔（穴部）２６〜２８が形成されている。貫通孔２６〜２８は、遊技領域１０ａ内に配置されており、貫通孔２６〜２８のそれぞれには、駆動鉄芯２２ｂ〜２４ｂが挿入され、駆動鉄芯２２ｂ〜２４ｂのそれぞれは貫通孔２６〜２８から遊技盤面１０ｂ上に突出する。
【００２９】
図３に示すように、第２遊技盤ユニット３０は、第２遊技盤３１と制御回路装置３２とから構成されている。第２遊技盤３１の前面側の遊技領域３１ａには、第１遊技盤１０と同様の入賞口などが設けられており、背面側には、制御回路装置１１と同様の構成をした制御回路装置３２が設けられている。
【００３０】
第２遊技盤ユニット３０は、本体基部６の開口６ａに嵌め込むことができるように、その大きさが第１遊技盤ユニット４と同じ大きさに形成されている。第２遊技盤ユニット３０の第２遊技盤３１には、本体基部６の駆動鉄芯２２ｂ、２３ｂと対応する位置に、２つの貫通孔（穴部）３３、３４が形成されている。貫通孔３３、３４は、遊技領域３１ａ内に配置されており、貫通孔３３、３４のそれぞれには、駆動鉄芯２２ｂ、２３ｂが挿入され、駆動鉄芯２２ｂ、２３ｂのそれぞれは貫通孔３３、３４から遊技盤面３１ｂ上に突出する。
【００３１】
図４に示すように、第３遊技盤ユニット３５は、第３遊技盤３６と制御回路装置３７とから構成されている。第３遊技盤３６の前面側の遊技領域３６ａには、第１、２遊技盤１０、３１と同様の入賞口などが設けられており、背面側には、制御回路装置１１、３２と同様の構成をした制御回路装置３７が設けられている。
【００３２】
第３遊技盤ユニット３５は、本体基部６の開口６ａに嵌め込むことができるように、その大きさが第１、２遊技盤ユニット４、３０と同じ大きさに形成されている。第３遊技盤ユニット３５の第３遊技盤３６には、本体基部６の駆動鉄芯２２ｂと対応する位置に、貫通孔（穴部）３８が形成されている。貫通孔３８は、遊技領域３１ａ内に配置されており、貫通孔３８には、駆動鉄芯２２ｂが挿入され、駆動鉄芯２２ｂは貫通孔３８から遊技盤面３６ｂ上に突出する。以上のように、第１〜３ソレノイド２２〜２４は駆動手段として、駆動鉄芯２２ｂ〜２４ｂは挿入部材として機能する。
【００３３】
このように、本実施形態では、第１遊技盤ユニット４の第１遊技盤１０、第２遊技盤ユニット３０の第２遊技盤３１、及び第３遊技盤ユニット３５の第３遊技盤３６のそれぞれに形成される貫通孔のうち、第１遊技盤１０に最も多くの数の貫通孔が形成されており、第２遊技盤３１、第３遊技盤３６の順に貫通孔の数が減少していき、最も貫通孔の数が多い第１遊技盤１０の貫通孔の位置に対応するようにソレノイド２２〜２４が本体基部６に設けられている。また、本体基部６に取り付けられる遊技盤ユニットは、第１遊技盤ユニット４、第２遊技盤ユニット３０、第３遊技盤ユニット３５の順に取り替えられていくが、新たに取り替えられて本体基部６に取り付けられた遊技盤ユニットの遊技盤に形成される貫通孔の位置及び数は、前に本体基部６に取り付けられていた遊技盤ユニットの遊技盤に形成されている貫通孔のうちの１つを除去することによって決定される。
【００３４】
本体基部６には、遊技盤ユニット固定部材３９が設けられており、遊技盤ユニット固定部材３９を操作することにより第１〜３遊技盤ユニット４、３０、３５のそれぞれを本体基部６に固定したり、あるいはその固定を解除したりすることができる。なお、第１〜３遊技盤ユニット４、３０、３５のそれぞれの本体基部６への固定方法は、例えば、ねじ止め、かしめなどにより固定しても良く、第１〜３遊技盤ユニット４、３０、３５は公知の固定方法によって本体基部６に固定されていれば良い。
【００３５】
図２〜４に示すように、第１〜３遊技盤１０、３１、３６のそれぞれの裏面には第１〜３ＲＦＩＤタグ（無線タグ）４０〜４２が貼り付けられている。第１〜３ＲＦＩＤタグ４０〜４２は、第１〜３遊技盤ユニット４、３０、３５のそれぞれを本体基部６に取り付ける際、後述するＲＦＩＤリーダ４５との交信が可能となるように配置されている。
【００３６】
以下、第１〜３ＲＦＩＤタグ４０〜４２は同様の構成をしているため、第１ＲＦＩＤタグ４０を例に挙げて説明し、第２、３ＲＦＩＤタグ４１、４２の説明は省略する。図５に示すように、第１ＲＦＩＤタグ４０は、ＩＣチップ（識別情報記憶手段）４３と、ＩＣチップ４３の外面に設けられたアンテナ部４４とからなる。アンテナ部４４は、ＩＣチップ４３の復調回路４３ａ及び変調回路４３ｄに接続されている。アンテナ部４４では、後述するＲＦＩＤリーダ４５から受けた電波が電磁誘導作用により電力として蓄積される。この電力は、ＩＣチップ４３に内蔵された各種回路の電源として利用される。
【００３７】
ＩＣチップ４３には、復調回路４３ａと、コントローラ４３ｂと、情報記憶回路４３ｃと、変調回路４３ｄとが設けられている。復調回路４３ａは、アンテナ部４４で受信した電波を検波・復調して命令信号を取り出し、取り出した命令信号をコントローラ４３ｂに入力する。コントローラ４３ｂは、入力された命令信号に従って識別情報記憶回路４３ｃを制御する。識別情報記憶回路４３ｃには、第１遊技盤１０についての固有のセキュリティ管理番号（識別情報）が記憶されている。
【００３８】
コントローラ４３ｂは、書き込み命令信号、読み出し命令信号、書き換え命令信号が入力されることにより、識別情報記憶回路４３ｃに対し、新たなセキュリティ管理番号の書き込み、記憶されたセキュリティ管理番号の読み出し、記憶されたセキュリティ管理番号の書き換えをそれぞれ行う。コントローラ４３ｂは、読み出し命令信号が入力されることにより、識別情報記憶回路４３ｃから読み出したセキュリティ管理番号を変調回路４３ｄに入力する。変調回路４３ｄは入力されたセキュリティ管理番号を示す電気信号を変調してアンテナ部４４に出力し、アンテナ部４４はセキュリティ管理番号を電波として発信する。セキュリティ管理番号の書き込みは第１遊技盤１０の製造過程において行われ、遊技場に設置された状態では、特定の暗号情報の入力を行わない限り、セキュリティ管理番号の書き換えが行えないようにされている。
【００３９】
通信手段としてのＲＦＩＤリーダ４５は、図２〜４に示すように、第１〜３遊技盤１０、３１、３６の第１〜３ＲＦＩＤタグ４０〜４２と対応するように、本体基部６の支持枠２１の上部に設けられている。図５に示すように、ＲＦＩＤリーダ４５は、アンテナ部４６、復調回路４７、コントローラ４８、変調回路４９、電波発生回路５０を備えている。復調回路４７は、アンテナ部４６で受信したＲＦＩＤタグ４０からの電波を検波・復調してセキュリティ管理番号を取り出し、取り出したセキュリティ管理番号をコントローラ４８に入力する。コントローラ４８は、第１ＲＦＩＤタグ４０からセキュリティ管理番号を読み出すための読み出し命令信号を変調回路４９に入力する処理と、第１ＲＦＩＤタグ４０から読み出されたセキュリティ管理番号を制御回路５１に入力する処理と、セキュリティ管理番号が認識できなかったときに読み取りエラー信号を出力する処理とを行う。変調回路４９に入力された読み出し命令信号は、変調された後、電波発生回路５０を介してアンテナ部４６から電波として発信される。
【００４０】
図６に示すように、判定手段、及び制御手段としての機能を有する制御回路５１のメモリ（登録情報記憶手段）５１ａには、第１〜３遊技盤１０、３１、３６に関する正規のセキュリティ管理番号（登録情報）が記憶されている。制御回路５１に、ＲＦＩＤリーダ４５で読み取られた第１ＲＦＩＤタグ４０のセキュリティ管理番号に関する電気信号が入力されると、制御回路５１では、ＲＦＩＤリーダ４５によって第１ＲＦＩＤタグ４０から読み出されたセキュリティ管理番号と、メモリ５１ａに記憶されているセキュリティ管理番号との照合が行われ、第１ＲＦＩＤタグ４０から読み出されたセキュリティ管理番号の真偽が判定される。制御回路５１によって第１ＲＦＩＤタグ４０から読み出されたセキュリティ管理番号が「真」、すなわち正規のセキュリティ管理番号であると判定された場合、制御回路５１から第１〜３ソレノイド２２〜２４のそれぞれに命令信号が送出され、第１〜３ソレノイド２２〜２４への通電が停止される。また、通電が停止された後、制御回路５１では、メモリ５１ａに記憶されていた第１遊技盤１０に関する正規のセキュリティ管理番号が消去される。
【００４１】
第１遊技盤ユニット４から第２遊技盤ユニット３０に交換する場合、ＲＦＩＤリーダ４５によって第２遊技盤３１についての固有のセキュリティ管理番号が読み出され、制御回路５１に、ＲＦＩＤリーダ４５で読み取られた第２ＲＦＩＤタグ４１のセキュリティ管理番号に関する電気信号が入力されると、制御回路５１では、第１ＲＦＩＤタグ４０と同様にして、ＲＦＩＤリーダ４５によって第２ＲＦＩＤタグ４１から読み出されたセキュリティ管理番号と、メモリ５１ａに記憶されている第２遊技盤３１に関する正規のセキュリティ管理番号（登録情報）との照合が行われる。制御回路５１によって第２ＲＦＩＤタグ４１から読み出されたセキュリティ管理番号が正規のセキュリティ管理番号であると判定された場合、制御回路５１から第３ソレノイド２４に命令信号が送出され、第３ソレノイド２４に通電が行われる。また、第３ソレノイド２４に通電が行われた後、制御回路５１では、メモリ５１ａに記憶されていた第２遊技盤３１に関する正規のセキュリティ管理番号が消去される。
【００４２】
第２遊技盤ユニット３０から第３遊技盤ユニット３５に交換する場合、ＲＦＩＤリーダ４５によって第３遊技盤３６についての固有のセキュリティ管理番号が読み出され、制御回路５１に、ＲＦＩＤリーダ４５で読み取られた第３ＲＦＩＤタグ４２のセキュリティ管理番号に関する電気信号が入力されると、制御回路５１では、第１、２ＲＦＩＤタグ４０、４１と同様にして、ＲＦＩＤリーダ４５によって第３ＲＦＩＤタグ４２から読み出されたセキュリティ管理番号と、メモリ５１ａに記憶されている第３遊技盤３６に関する正規のセキュリティ管理番号（登録情報）との照合が行われる。制御回路５１によって第３ＲＦＩＤタグ４２から読み出されたセキュリティ管理番号が正規のセキュリティ管理番号であると判定された場合、制御回路５１から第２ソレノイド２３に命令信号が送出され、第２ソレノイド２３に通電が行われる。また、第２ソレノイド２３に通電が行われた後、制御回路５１では、メモリ５１ａに記憶されていた第３遊技盤３６に関する正規のセキュリティ管理番号が消去される。
【００４３】
次に上記のように構成されたパチンコ機２の作用について図７のフローチャートを参照して説明する。第１遊技盤ユニット４を本体基部６に取り付けるに先立って、第１〜３ソレノイド２２〜２４に通電を行い、駆動鉄芯２２ｂ〜２４ｂをボビン２２ａ〜２４ａに埋没させた状態、すなわち第２位置にしておく。
【００４４】
第１遊技盤ユニット４を本体基部６に取り付ける場合、第１遊技盤１０の裏面に設けられた第１ＲＦＩＤタグ４０を本体基部６のＲＦＩＤリーダ４５に近づけると、ＲＦＩＤリーダ４５が第１ＲＦＩＤタグ４０のセキュリティ管理番号を読み取る。ＲＦＩＤリーダ４５は読み取ったセキュリティ管理番号を電気信号として制御回路５１に送出する。制御回路５１は、ＲＦＩＤリーダ４５で読み取ったセキュリティ管理番号が正規のものであるか否かの判定を行う。制御回路５１がセキュリティ管理番号を正規のものであると判定した場合、制御回路５１は、第１〜３ソレノイド２２〜２４への通電を停止させ、ボビン２２ａ〜２４ａから、駆動鉄芯２２ｂ〜２４ｂを突出させる。つまり、第２位置ある駆動鉄芯２２ｂ〜２４ｂを第１位置に移動させる。また、制御回路５１は、第１〜３ソレノイド２２〜２４への通電を停止させた後、メモリ５１ａに記憶されている第１遊技盤１０に関するセキュリティ管理番号を消去する。
【００４５】
次に、第１遊技盤ユニット４の第１遊技盤１０に形成されている貫通孔２６〜２８と、本体基部６に設けられた第１〜３ソレノイド２２〜２４の駆動鉄芯２２ｂ〜２４ｂとの位置を合わせ、貫通孔２６〜２８のそれぞれに駆動鉄芯２２ｂ〜２４ｂを挿通させながら第１遊技盤ユニット４を本体基部６の開口６ａに嵌め込む。そして、遊技盤ユニット固定部材３９を操作して第１遊技盤ユニット４を本体基部６に固定する。
【００４６】
第１遊技盤ユニット４から第２遊技盤ユニット３０に交換する場合、本体基部６から第１遊技盤ユニット４を取り外し、第２遊技盤ユニット３０の第２遊技盤３１の裏面に設けられた第２ＲＦＩＤタグ４１を本体基部６のＲＦＩＤリーダ４５に近づけると、ＲＦＩＤリーダ４５が第２ＲＦＩＤタグ４１のセキュリティ管理番号を読み取る。ＲＦＩＤリーダ４５は読み取ったセキュリティ管理番号を電気信号として制御回路５１に送出する。制御回路５１は、ＲＦＩＤリーダ４５で読み取ったセキュリティ管理番号が正規のものであるか否かの判定を行う。制御回路５１がセキュリティ管理番号を正規のものであると判定した場合、制御回路５１は、第３ソレノイド２４への通電を行い、ボビン２４ａに駆動鉄芯２４ｂを引き込ませる。つまり、第１位置にある駆動鉄芯２４ｂを第２位置に移動させる。また、制御回路５１は、第３ソレノイド２４への通電を行った後、メモリ５１ａに記憶されている第２遊技盤３１に関するセキュリティ管理番号を消去する。
【００４７】
次に、第２遊技盤ユニット３０の第２遊技盤３１に形成されている貫通孔３３、３４と、本体基部６に設けられた第１、２ソレノイド２２、２３の駆動鉄芯２２ｂ、２３ｂとの位置を合わせ、貫通孔３３、３４のそれぞれに駆動鉄芯２２ｂ、２３ｂを挿通させながら第２遊技盤ユニット３０を本体基部６の開口６ａに嵌め込む。そして、遊技盤ユニット固定部材３９を操作して第２遊技盤ユニット３０を本体基部６に固定する。
【００４８】
第２遊技盤ユニット３０から第３遊技盤ユニット３５に交換する場合、本体基部６から第２遊技盤ユニット３０を取り外し、第３遊技盤ユニット３５の第３遊技盤３６の裏面に設けられた第３ＲＦＩＤタグ４２を本体基部６のＲＦＩＤリーダ４５に近づけると、ＲＦＩＤリーダ４５が第３ＲＦＩＤタグ４２のセキュリティ管理番号を読み取る。ＲＦＩＤリーダ４５は読み取ったセキュリティ管理番号を電気信号として制御回路５１に送出する。制御回路５１は、ＲＦＩＤリーダ４５で読み取ったセキュリティ管理番号が正規のものであるか否かの判定を行う。制御回路５１がセキュリティ管理番号を正規のものであると判定した場合、制御回路５１は、第２ソレノイド２３への通電を行い、ボビン２３ａに駆動鉄芯２３ｂを引き込ませる。つまり、第１位置にある駆動鉄芯２３ｂを第２位置に移動させる。また、制御回路５１は、第２ソレノイド２３への通電を行った後、メモリ５１ａに記憶されている第３遊技盤３６に関するセキュリティ管理番号を消去する。
【００４９】
次に、第３遊技盤ユニット３５の第３遊技盤３６に形成されている貫通孔３８と、本体基部６に設けられた第１ソレノイド２２の駆動鉄芯２２ｂとの位置を合わせ、貫通孔３８に駆動鉄芯２２ｂを挿通させながら第３遊技盤ユニット３５を本体基部６の開口６ａに嵌め込む。そして、遊技盤ユニット固定部材３９を操作して第３遊技盤ユニット４を本体基部６に固定する。
【００５０】
このように、本体基部６と遊技盤ユニットとの組み合わせが正しい場合、すなわち、ＲＦＩＤタグに記憶されているセキュリティ管理番号が正規のものであると認証された場合、遊技盤の貫通孔に対応する駆動鉄芯２２ｂ〜２４ｂが貫通孔に挿入可能な第１位置となり、遊技盤ユニットの本体基部６への組み付けが可能となる。さらに、本体基部６と遊技盤ユニットとの組み合わせが正しい場合には、遊技盤に形成されている貫通孔に対応して駆動鉄芯２２ｂ〜２４ｂが突出するため、組み付け後も本体基部６と遊技盤ユニットとが正しい組み合わせで組み付けられている否かを容易に視認することができる。
【００５１】
また、本体基部６に第１〜３遊技盤ユニット４、３０、３５が一度取り付けられた後、すなわち、駆動鉄芯２２ｂ〜２４ｂのいずれかが第１位置にあるとき、本体基部６の駆動鉄芯２２ｂ〜２４ｂのいずれかに対応した貫通孔が形成されてない遊技盤を備えた遊技盤ユニットを本体基部６に取り付けようとしても、本体基部６の駆動鉄芯が邪魔になり、取り付けることができない。
【００５２】
また、メモリ５１ａには、第１〜３遊技盤１０、３１、３６に関するセキュリティ管理番号が予め記憶されており、遊技盤が本体基部６に取り付けられると、本体基部６に取り付けた遊技盤に対応するセキュリティ管理番号がメモリ５１ａから消去されるので、一度本体基部６に取り付けて使用された遊技盤を再び使用しようとしても、その遊技盤に取り付けられているＲＦＩＤタグの識別情報は二度と認証されないので、遊技盤ユニットの交換が１回以上行われている場合には、それ以前に使用されていた遊技盤ユニットを再使用するといった違法な取り付け行為を防止することができる。具体的には、第１遊技盤ユニット４を本体基部６に取り付けた際、制御回路５１のメモリ５１ａから第１遊技盤１０に関するセキュリティ管理番号が消去されるため、第１遊技盤ユニット４を取り外して、第２遊技盤ユニット３０を本体基部６に取り付け、第２遊技盤ユニット３０を取り外した後、再び第１遊技盤ユニット４を本体基部６に取り付けようとしてもセキュリティ管理番号の認証が行われない。よって、第１遊技盤ユニット４を再び本体基部６に取り付けた場合、第１遊技盤１０の貫通孔２６には駆動鉄芯２２ｂが、貫通孔２７には駆動鉄芯２３ｂが貫通するが、貫通孔２８には駆動鉄芯２４ｂが貫通しないため、第１遊技盤ユニット４と本体基部６とが正しい組み合わせでないことが容易に視認することができる。
【００５３】
また、本体基部６の駆動鉄芯２２ｂ〜２４ｂは、第１〜３遊技盤ユニット４、３０、３５を本体基部６に取り付ける際の位置決め部材としても機能している。さらに、第１遊技盤ユニット４を例に挙げると、駆動鉄芯２２ｂ〜２４ｂは、第１遊技盤１０の遊技領域１０ａ内に形成された貫通孔２６〜２８から突出するので、駆動鉄芯２２ｂ〜２４ｂは障害釘と同様に遊技盤面１０ｂ上における障害物として機能する。また、駆動鉄芯２２ｂ〜２４ｂの貫通孔２６〜２８から突出した部分を、遊技盤面１０ｂ上に取り付けられる風車などの構造物を取り付けるための取り付け軸として利用することも可能である。なお、第２、３遊技盤ユニット３０、３５についても同様の効果を発揮する。
【００５４】
上記実施形態では、第１〜３遊技盤ユニット４、３０、３５のそれぞれを本体基部６に取り付けた際に、本体基部６に取り付けた遊技盤ユニットの遊技盤に対応したセキュリティ管理番号をメモリ５１ａから消去するようにしたが、本体基部６に取り付けられている遊技盤ユニットを取り外して、本体基部６に別の遊技盤ユニットを取り付けた際に、その前に本体基部６に取り付けられていた遊技盤ユニットの遊技盤に対応したセキュリティ管理番号を消去するようにしても良い。
【００５５】
上記実施形態では、第１遊技盤ユニット４を第２遊技盤ユニット３０に、第２遊技盤ユニット３０を第３遊技盤ユニット３５に交換する際、駆動鉄芯２４ｂ、駆動鉄芯２３ｂの順で、それぞれの駆動鉄芯を第１位置から第２位置に移動させたが、この順は逆でも良く、遊技盤ユニットの交換に伴って駆動鉄芯２２ｂ〜２４ｂのうちのいずれか２つを順次に駆動させれば良い。これに伴い遊技盤に形成される貫通孔の数や位置も駆動鉄芯に対応させて変更する。
【００５６】
上記実施形態では、本体基部６には第１〜３ソレノイド２２〜２４の３つのソレノイドが設けられているが、これに限ることなく、ソレノイドは２つ以上設けられていれば良い。例えば、本体基部にソレノイドが２つ設けられていれば、その本体基部については遊技盤ユニットを１回交換することができる。つまり、その本体基部に最初に取り付けられる遊技盤ユニットとしては、本体基部の２つのソレノイドに備えられている駆動鉄芯に対応するように貫通孔が２つ形成されている遊技盤を備えた遊技盤ユニットが用いられ、遊技盤ユニットを交換する場合、次に本体基部に取り付けられる遊技盤ユニットとしては、本体基部の２つのソレノイドに備えられている駆動鉄芯のうちのいずれか１つに対応するように貫通孔が１つ形成されている遊技盤を備えた遊技盤ユニットが用いられる。このように、本体基部に設けられるソレノイドの数は、遊技盤ユニットを交換する回数に応じて設定すれば良く、適宜変更可能である。
【００５７】
上記実施形態では、本体基部６に取り付けられる遊技盤ユニットは、第１遊技盤ユニット４、第２遊技盤ユニット３０、第３遊技盤ユニット３５の順に取り替えられていき、この取り替えの順に対応するように第１遊技盤ユニット４の第１遊技盤１０、第２遊技盤ユニット３０の第２遊技盤３１、第３遊技盤ユニット３５の第３遊技盤３６の順に遊技盤に形成されている貫通孔の数が減少しているが、これに限ることなく、遊技盤ユニットの遊技盤に形成される貫通孔の数は取り替えの順番に関係なく適宜変更可能である。例えば、第３遊技盤ユニット３５、第２遊技盤ユニット３０、第１遊技盤ユニット４の順に取り替えていくこともできる。この場合も勿論、遊技盤ユニットが本体基部６に取り付けられるたびに、本体基部６に取り付けられた遊技盤ユニットの遊技盤についての正規のセキュリティ番号は、メモリ５１ａから消去される。これにより、遊技盤ユニットの再使用が防止される。
【００５８】
上記実施形態では、駆動手段として第１〜３ソレノイド２２〜２４を用いたが、これに限ることなく、モータを用いても良い。
【００５９】
上記実施形態では、第１〜３遊技盤１０、３１、３６のそれぞれに貫通孔を設けたが、第１〜３遊技盤１０、３１、３６の裏面に駆動鉄芯２２ｂ〜２４ｂの先端部のみを挿入させる凹部を形成するようにしても良く、遊技盤ユニットの交換作業を行う場合、遊技盤に形成された凹部の数と、本体基部のソレノイドの数とを照合すれば、遊技盤ユニットと本体基部との組み合わせが正しいか否かを容易に判断することができ、さらに、上記実施形態と同様にソレノイドを、遊技盤ユニットを本体基部に取り付ける際の位置決め部材としても機能させることができるので、遊技盤ユニットの本体基部への組み付け作業を正確、且つ迅速に行うことができる。
【００６０】
上記実施形態では、パチンコ機２の本体基部６に第１〜３ソレノイド２２〜２４を設け、第１〜３ソレノイド２２〜２４の位置に対応するように第１遊技盤１０に貫通孔２６〜２８を形成したが、本発明の遊技機であるパチンコ機を、図５に示すように、複数台並設したパチンコ機ユニット（遊技機ユニット）５２を構成しても良い。この場合、パチンコ機ユニット５２は、パチンコ機２、５３〜５７の６台のパチンコ機が集合して構成され、正面を向くように横一列に整列した状態で設置されている。パチンコ機２、５３〜５７はパチンコ機設置棚５８に固定して設置される。パチンコ機設置棚５８は、パチンコ機２、５３〜５７のそれぞれが隙間なく組み込まれる大きさを有している。パチンコ機２、５３〜５７をパチンコ機設置棚５８に組み込むと、パチンコ機２、５３〜５７のそれぞれのほぼ前面のみが露呈される。
【００６１】
図２に示すように、パチンコ機２の本体基部６の開口６ａに設けられている支持枠２１の上部中央には第１〜３ソレノイド２２〜２４が設けられている。パチンコ機５３〜５７のそれぞれの本体基部（不図示）はパチンコ機２の本体基部６と同様の構成をしている。パチンコ機５３〜５７の本体基部のそれぞれの開口にはパチンコ機２と同様の支持枠（不図示）が設けられている。不図示であるが、パチンコ機５３〜５７の本体基部の支持枠のそれぞれには、パチンコ機２の本体基部に設けられている第１〜３ソレノイド２２〜２４と同様の構成をしたソレノイドが互いに異なる位置となるように支持枠に３つずつ設けられている。また、パチンコ機５３〜５７の本体基部のそれぞれに形成されるソレノイドは、パチンコ機２の本体基部６に形成されているソレノイドとも異なるように配置されている。つまり、パチンコ機２、５３〜５７の本体基部のそれぞれに設けられるソレノイドは、パチンコ機２、５３〜５７毎に異なるように配置されている。また、パチンコ機２、５３〜５７のそれぞれの遊技盤には、本体基部に設けられているソレノイドに組み込まれている駆動鉄芯の位置に対応するように貫通孔が形成されており、パチンコ機２、５３〜５７の遊技盤のそれぞれに形成される貫通孔も、パチンコ機２、５３〜５７毎に異なるように配置されている。
【００６２】
通常、パチンコ機には遊技盤ユニットと本体基部とのそれぞれに、遊技盤ユニットと本体基部とが正しい組み合わせであるか否かを示す検定番号が記されているが、上述したように、パチンコ機２、５３〜５７のそれぞれの本体基部のソレノイドを互いに異なる位置に設置し、本体基部のソレノイドの位置に対応するように遊技盤に貫通孔を形成することにより、遊技場の従業員が遊技盤ユニットを本体基部に取り付ける際に、検定番号を照合しながら遊技盤ユニットを本体基部に組み付ける必要がなくなる。つまり、遊技盤ユニットを本体基部に取り付ける際に、遊技盤の貫通孔の位置が、本体基部のソレノイドの位置と一致しているか否かを見れば、どの遊技盤ユニットを、どの本体基部に取り付けるのかを容易に判別することができ、これにより、遊技盤ユニットの取り替え作業を正確、且つ迅速に行うことが可能となる。また、本来取り付けられるべき本体基部以外の本体基部に遊技盤ユニットを誤って取り付けるということを防止することができる。さらに、遊技盤と本体基部とが正しい組み合わせで組み付けられているパチンコ機の遊技盤を取り外して、別のパチンコ機の本体基部に取り付けようとしても、穴部の数や位置が合わないため、不正な取り付けを防止することができる。
【００６３】
上記実施形態では、パチンコ機毎に、遊技盤に形成される貫通孔の位置を変えたが、これに限ることなく、パチンコ機毎に、遊技盤に形成される貫通孔の数を変えても良い。具体的には、パチンコ機２に取り付けられる遊技盤に３０個の貫通孔を形成し、この遊技盤が取り付けられる本体基部に、遊技盤に形成されている３０個の貫通孔と対応するようにソレノイドを設け、パチンコ機５３に取り付けられる遊技盤に２５個の貫通孔を形成し、この遊技盤が取り付けられる本体基部に、遊技盤に形成されている２５個の貫通孔と対応するようにソレノイドを設け、パチンコ機５４に取り付けられる遊技盤に２０個の貫通孔を形成し、この遊技盤が取り付けられる本体基部に、遊技盤に形成されている２０個の貫通孔と対応するようにソレノイドを設け、パチンコ機５５に取り付けられる遊技盤に１５個の貫通孔を形成し、この遊技盤が取り付けられる本体基部に、遊技盤に形成されている１５個の貫通孔と対応するようにソレノイドを設け、パチンコ機５６に取り付けられる遊技盤に１０個の貫通孔を形成し、この遊技盤が取り付けられる本体基部に、遊技盤に形成されている１０個の貫通孔と対応するようにソレノイドを設け、パチンコ機５７に取り付けられる遊技盤に５個の貫通孔を形成し、この遊技盤が取り付けられる本体基部に、遊技盤に形成されている５個の貫通孔と対応するようにソレノイドを設けても良い。なお、パチンコ機毎に取り付けられる各遊技盤に形成される貫通孔の数は、各遊技盤の違いを一目で識別できる数となるように各遊技盤毎に適宜に差をつけておくことが好ましい。
【図面の簡単な説明】
【００６４】
【図１】本発明を適用したパチンコ機の外観を示す斜視図である。
【図２】図１に示すパチンコ機の分解斜視図である。
【図３】１回目の遊技盤ユニットの交換を行う際、新たに本体基部に取り付けられる第２遊技盤ユニットと、本体ユニットとの斜視図である。
【図４】２回目の遊技盤ユニットの交換を行う際、新たに本体基部に取り付けられる第３遊技盤ユニットと、本体ユニットとの斜視図である。
【図５】ＲＦＩＤリーダとＲＦＩＤタグの構成を示すブロック図である。
【図６】本発明にかかる電気的構成を示すブロック図である。
【図７】遊技盤ユニットの取り付けに伴う処理の手順を示すフローチャートである。
【図８】遊技機ユニットの外観を示す斜視図である。
【符号の説明】
【００６５】
２、５３〜５７    パチンコ機（遊技機）
４    第１遊技盤ユニット
６    本体基部
１０    第１遊技盤
１０ａ、３１ａ、３６ａ    遊技領域
２２〜２４    第１〜３ソレノイド（駆動手段）
２２ｂ〜２４ｂ    駆動鉄芯（挿入部材）
２６〜２８、３３、３４、３８    貫通孔（穴部）
３０    第２遊技盤ユニット
３１    第２遊技盤
３５    第３遊技盤ユニット
３６    第３遊技盤
４０〜４２    第１〜３ＲＦＩＤタグ（無線タグ）
４３    ＩＣチップ（識別情報記憶手段）
４５    ＲＦＩＤリーダ（通信手段）
５１    制御回路（判定手段）（制御手段）
５１ａ    メモリ（登録情報記憶手段）
５２    パチンコ機ユニット（遊技機ユニット）
【図１】
2005245593.tif 000003
【図２】
2005245593.tif 000004
【図３】
2005245593.tif 000005
【図４】
2005245593.tif 000006
【図５】
2005245593.tif 000007
【図６】
2005245593.tif 000008
【図７】
2005245593.tif 000009
【図８】
2005245593.tif 000010